(57)【要約】電気回線、特に電話回線またはコンピュータ回線を相互接続する端子板であって、各々が外線を収容するように構成された圧接端を有し、第１の導電素子の圧接端が上縦側部７に向けて指向されている、単列の相互に平行な並列配置の第１の導電素子９と、各々が外線を収容するように構成された圧接端を有し、第２の導電素子の圧接端が下縦側部８に向けて指向されている、単列の相互に平行な並列配置の第２の導電素子１１とを備える端子板。これらの２列９、１１は同一平面にあるとともに、当該共通平面に対してずれているそれぞれの遮断点を介して相互接続されている。
2004523080.tif 000002
【特許請求の範囲】
【請求項１】
電気回線、特に電話回線またはコンピュータ回線を相互接続する端子板であって、
ａ）各々が外線を収容するように構成された圧接端を有し、前記端子板の上縦側部（７）に向けて指向されている、単列の相互に平行な並列配置の第１の導電素子（９）と、各々が外線を収容するように構成された圧接端を有し、前記端子板の下縦側部（８）に向けて指向されている、単列の相互に平行な並列配置の第２の導電素子（１１）とを備え、
ｂ）前記第１（９）および第２（１１）の導電素子の圧接端がすべて同一平面（Ｐ）内にあり、
ｃ）第１および第２の２部導電素子において、各第１の導電素子（９）が遮断点によって第２の導電素子から分離されており、
ｄ）前記遮断点が前記第１および第２の導電素子によって定義される平面に対してずれていることを特徴とする端子板。
【請求項２】
前記第１の導電素子（９）が、前記第２の導電素子（１１）の固定部（１６）上に位置する少なくとも１つの可動可撓性タブ（１４）を備えることを特徴とする、請求項１に記載の端子板。
【請求項３】
前記端子の前記上縦側部（７）が、導通試験プラグ（１９）または絶縁遮断プラグをアクセス孔（１８）を介して前記端子板の本体内に挿入させるとともに前記可動可撓性タブ（１４）と前記固定部（１６）との間の遮断点（１７）に隣接させるための、各第１の導電素子（９）に隣接する複数のアクセス孔（１８）を含むことを特徴とする請求項２に記載の端子板。
【請求項４】
前記上（７）および下（８）縦側部が各圧接端毎に圧入スロット（１３）を有し、該圧入スロット（１３）が前記上（７）または下（８）縦側部から横方向に延在するとともに一方の前記側面（３）に沿って前記端子台内に延在することを特徴とする、請求項１〜３のいずれか１項に記載の端子板。
【請求項５】
２つの側面（３）と、前記端子台の一方の前記側面（３）の内部に成型または形成されあるいは取り付けられ、前記圧入スロット（１３）と前記端子台の同一側面に配置され、各引込チャネル（２６）が一方の前記横側部（４）から少なくとも１つの前記圧入スロット（１３）の方向に湾曲している引込チャネル（２６）とをさらに含むことを特徴とする、請求項４に記載の端子板。
【請求項６】
連結手段（３９、４１）を含み、一方の面（３）上の前記連結手段（３９）が他方の面（２）上の前記連結手段（４１）に嵌入するように前記２つの側面の各々に配置されていることを特徴とする、請求項４に記載の端子板。
【請求項７】
前記上縦側部（７）の付近にドレインコレクタ（４２）を含むことを特徴とする、請求項６に記載の端子板。
【請求項８】
さらに支持フレームを形成するレールを含み、前記支持フレーム（２８）を形成するレール上に位置する前記最後の端子板の前記引込チャネル（２６）を仕切るラベルホルダ（２９）または板と、前記上縦側部（７）上に配置されたラベルホルダ(４６)とを含むことを特徴とする、請求項５に記載の端子板。
【発明の詳細な説明】
【技術分野】
【０００１】
本発明は、電気回線、特に電話回線あるいはコンピュータ回線を相互接続するための端子板に関する。
【背景技術】
【０００２】
特許文献１、特許文献２、特許文献３および特許文献４は、端子板について記載している。
【０００３】
一般に端子板は、多くの場合、接地された支持フレームを形成する金属固定レール上に装着される。端子板はその側面が互いに接するか、あるいは非常に近接して装着される。
【０００４】
しかし、従来技術の端子板は相当な厚さを有する。これにより所定の長さの金属固定レースに装着できる端子板の個数が減少することになる。このような現在の端子板の主たる欠点は、端子板が支持フレームを形成する固定レール部分の収容力が限定されるような寸法に作られていることである。
【０００５】
さらに、これらの端子板は互いに平行に並んで配置された「圧接端子」と呼ばれる２列の導電素子からなっている。これらは各々外線を収容するように構成された圧接端を有するとともに端子板の本体で２列に対向して位置合わせされている。これらの圧接端子は配線またはジャンパの導線に接続されている。この平行列のため、端子板の入力アレイおよび出力アレイは端子板の同一上縦側部に位置している。これが配線の束とともに配線の高密度接続および交絡を引き起こす。
【０００６】
従来技術の端子板の他の欠点は、接続を変えるための他の端子板の中央部に位置する端子板へのアクセスが、このような端子板が金属固定レールに沿って集団で配置され且つ当該端子板が一旦接続されてしまった場合には、困難なことである。
【０００７】
特許文献５は特に遠隔通信回線用の接続装置を開示しており、その接続装置は互いに平行に並んで配置され、各々が外線を収容するための一端部において分割された導電素子からなり、導電素子は絶縁ケーシングの２つの組み付け部間に軸方向に保持されるとともに、前記ケーシング内で対向関係に配置された２つの直線、列あるいはアレイを構成している。プラグのスプリット端部はケーシングの１つの部分の縦側部の方向に、前記ケーシングの部分のむき出しの組み付け側部と反対側に配置されている。ケーシングの縦側部は、一方では端部のスロットと対向して前記縦側部に対して横方向に設けられるとともに前記縦側部に隣接した２つの面上に開口している駆動あるいは案内スロットからなり、他方ではケーシングの同一縦側部を導電素子のスプリット端部の２つの直線間を縦方向に通るアクセススロットからなっている。
【０００８】
しかし、このタイプの接続装置の欠点の１つは、導電素子が２列あることによる厚さにある。他の欠点は接続線を収容する手段がないことである。従来技術の接続装置のさらに他の欠点は、入力アレイが出力アレイと離れていないことである。
【特許文献１】
米国特許第５，３８８，９９９号明細書
【特許文献２】
ＧＢ−２，３１０，９６２号明細書
【特許文献３】
ＡＵ−３，２６３，４８９号明細書
【特許文献４】
ＥＰ−０，５２４，１１５号明細書
【特許文献５】
米国特許第４，６１８，２０４号明細書
【発明の開示】
【課題を解決するための手段】
【０００９】
本発明によれば、電気回線、特に電話回線またはコンピュータ回線を相互接続する端子板は
ａ）各々が外線を収容するように構成された圧接端を有し、前記端子板の上縦側部に向けて指向されている、単列の相互に平行な並列配置の第１の導電素子と、各々が外線を収容するように構成された圧接端を有し、前記端子板の下縦側部に向けて指向されている、単列の相互に平行な並列配置の第２の導電素子とを備え、
ｂ）前記第１および第２の導電素子の圧接端がすべて同一平面内にあり、
ｃ）前記第１および第２の導電素子が２つの部分にあるとともに、各第１の導電素子が遮断点によって第２の導電素子から分離されており、
ｄ）前記遮断点が前記第１および第２の導電素子によって定義される平面に対してずれていることを特徴とする。
【００１０】
前記第１の導電素子が、端子板に搭載した時に、前記第２の導電素子の固定部上に位置し且つ接する少なくとも１つの可動可撓性タブを備えることが好ましい。
【００１１】
前記端子板の前記上縦側部内であって且つ各第１の導電素子に隣接して、導通試験プラグまたは絶縁遮断プラグを挿入するためのアクセス孔を設けることが好ましい。導通プラグまたは絶縁プラグはアクセス孔を介して前記端子板の本体内に挿入させるとともに前記可撓性タブと前記固定部との間に滑り込ませるように遮断点に隣接させることができる。
【００１２】
前記端子板の上および下縦側部が各圧接端毎に圧入スロットを有することが好ましい。これらのスロットは前記上または下縦側部からそれぞれ横方向に延在するとともに一方の前記側面に沿って前記端子台内に延在する。
【００１３】
１つの特定な実施形態において、前記端子板が端子台の一方の側面の内部に成型または形成されあるいは取り付けられた引込チャネルを含む。これらのチャネルは前記端子台の前記圧入スロットと同一側面に配置されることが好ましい。チャネルの各々が一方の前記横側部から少なくとも１つの前記圧入スロット、すなわち、少なくとも１つの圧接端子に向って湾曲している。端子板は圧入スロットを有する側面と反対側に平滑な側面を含んでいてもよい。
【００１４】
支持フレームに固定することができるように、端子板は２つの横側部の各々に位置決め・固定手段を含むことが好ましい。これらの位置決め・固定手段は２つの横側部上であって２つの上および下縦側部の付近に配してもよい。前記端子板同士を固定することができるように、端子板は連結手段を含み、一方の面上の前記連結手段が他方の面上の前記連結手段に嵌入するように前記２つの側面の各々に配置されている。
【００１５】
１つの特定な実施形態において、前記端子板は前記上縦側部の付近にドレインコレクタを含む。支持フレームを形成するレール上に装着された端子板群を識別するために、レール上に位置する一連の端子板のうちの最後の端子板は、前記最後の端子板の前記引込チャネルを仕切るのにも役立つ第１のラベルホルダを含んでもよい。端子板を識別するために、端子板は前記上縦側部上に配置された第２のラベルホルダを含んでもよい。
【００１６】
本発明は、以下の説明、非制限的実施形態、および添付の概略図を参照することにより明らかになる様々な利点および様々な特徴により充分に理解されよう。
【発明を実施するための最良の形態】
【００１７】
多接点相互接続端子板１は、全体的に長方形の２つの側面２、３と、左横側部４と、右横側部６と、上縦側部７と、下縦側部８とを有する。
【００１８】
上縦側部７は一列の上部金属圧接端子９を有する。下縦側部８は一列の下部金属圧接端子１１を有する。これらの圧接端子９、１１は同一平面Ｐ内に位置する。この平面Ｐは２つの側面２、３と平行である。上部および下部圧接端子９、１１は各々外線を挿入するためのスロット１２を含む。これらの挿入スロット１２は常に端子板の本体に形成された圧入スロット１３に対向している。圧入スロット１３は端子板の一方の側面３に形成されている。圧入スロット１３は上部圧接端子９に対応するものの場合は上方に向って延在し、下部圧接端子１１に対応するものの場合は下方に向って延在している。
【００１９】
上部端子９は物理的に下部端子１１から離間している。上部端子９は各々その圧接端の反対側の端部に位置する可撓性つまみ１４を有する。下部端子１１は各々その圧接端の反対側の端部に位置する剛性すなわち固定部１６を有する。この可撓性つまみ１４とこの固定部１６とは互いに接触して接点および遮断点１７を形成する。
【００２０】
上部圧接端子９の可撓性つまみ１４の静止位置は上部９および下部１１端子によって定義される平面Ｐからずれている。下部圧接端子１１の固定部１６もこれら上部および下部端子９、１１によって定義される平面Ｐに対してずれている。これは遮断点が上記同一平面Ｐに対してずれていることを意味する。
【００２１】
端子板１において各圧接端子９のために設けられているのがプラグ１９の挿入用の上部孔１８である。このプラグ（詳細には図７Ｂおよび７Ｃを参照）は上部圧接端子９の可撓性つまみ１４と下部圧接端子１１の固定部１６との間の遮断点１７まで端子板に（矢印Ｔの方向に）挿入することができる。図７Ａは可撓性つまみ１４の２つの可能な位置、すなわち平面Ｐに沿って示す突出部の位置はプラグ１９が挿入された時に可撓性つまみ１４がその静止位置から強制的に離された位置を明示している。プラグ１９は上部および下部圧接端子９、１１の縦軸に平行（矢印Ｔに沿って）に、そのため平面Ｐにも平行に移動することにより挿入される。
【００２２】
２つのタイプの試験プラグ１９を用いることができる。絶縁試験プラグを用いて上部端子９と下部端子１１の間を遮断することができる。導通試験プラグを用いて端子板に接続された導線の状態と特性とを測定且つ試験することができる。
【００２３】
入力アレイを接続するために、圧入スロット１３の下に縦チャネル２１を設けるが、このチャネルは外線の挿入によってその外線を引込むようになっている。チャネル２１はその上部においてリブ２２と境界を接している。チャネルはその下部において櫛状部２３と境界を接している。図に示すように１６個の下部圧接端子１１がある場合には、１６本の配線がリング２４を通過するとともに、櫛状部２３を定義する歯の間にある１６個の隙間によって「梳く」ことができる。配線をより確実に掴むことにより、下部圧接端子１１の機械的強度およびより良好な導通ならびに接続状態を向上させることができる。各配線は各圧入スロット１３に正対して接続される。
【００２４】
出力アレイを接続するために、同じ側面３は一連の引込チャネル２６を含む。各引込チャネル２６は横側部４から上部圧接端子９用の圧入スロット１３まで延在している。１６個の上部圧接端子９が設けられている場合には（図に示すように）、１６個の引込チャネル２６が縦側部８に配置することができる。引込チャネル２６はほぼ曲線的な湾曲部を形成して引込チャネル２６を貫通する配線内の鋭角な曲げを防ぐことが好適である。引込チャネル２６により接続配線を実際に配列させることが可能であるため空間を確保することができる。
【００２５】
完全に平坦な板２７が他の側面２上に設けられている。相互配線端子板が支持フレーム２８を形成するレールに挿入されると、端子板のうちの１つの板２７が、レールの端部までのその端子板の引込チャネル２６等を仕切る。端部では端子板のむき出しの引込チャネル２６を仕切るために、ラベルホルダ２９も形成する構成部または単なる板のいずれかが設けられている。
【００２６】
絶縁被覆を備えたケーブルとその外線３０は、支持フレーム２８を形成するＵ字型レールの底面に配置されているため有利である。
【００２７】
相互接続端子板を、２つの上方に延在するサイドアーム３１，３２を備えたＵ字形状を有する支持フレーム２８を形成するレールに固定するために、２つの挿入および固定手段がそれぞれ端子板の両側に設けられている。これらの手段はその中央部で各横側部、すなわち左横側部４と右横側部６とに取り付けられた三方枠（ｊａｍｂ）３３の形状をしている。そのためこれら２つの三方枠３３はレール２８の２つのサイドアーム３１、３２が挿入することが可能な４つのスロット３４を定義している。
【００２８】
三方枠３３はスロット３４内に突出するとともにレール２８のサイドアーム３１、３２内にある開口３７と係合するための留め具３６を含む。スロット３４のうちの２つは端子板の横側部に沿って上方に向って延在するとともに上縦側部７に向かって開口しているが、一方他の２つのスロット３４は端子板の横側部に沿って下方に向って延在するとともに下縦側部８に向かって開口している。端子板の各側部にある２つの三方枠３３は各々、当該側部上で三方枠３３を個別に動かしてスロット３４を広げるための２つの把持フック３８も含み、支持フレーム２８を形成するレールの２つのサイドアーム３１、３２を挿入したり、また留め具３６の係合を外した後に取り出すことを可能にする。
【００２９】
そのため、操作者はまず支持フレーム２８を形成しているレール上に端子板を装着し、下縦側部８を上方に向けて外線を下部圧接端子１１に挿入することにより端子板に配線をつなぐ。次に、操作者は端子板を外すとともにひっくり返して支持フレーム２８を形成するレール上に再度嵌合させることにより、外線を上部圧接端子９に挿入し、そして上縦側部７を上方に向けることができる。
【００３０】
図５および８に詳細に見ることができるように、支持フレーム２８を形成するＵ字型断面を有するレールは、一方のサイドアーム３１が他方のサイドアーム３２よりも長い非対称形状を有してもよい。これは端子板の一方の側部が端子板のスロット３４が端子板の他方の側部のスロット３４よりの深い場合もあることを意味する。深さが異なるスロットを有することにより端子板１の機械的安定度が増す。
【００３１】
例えば、３２端子板を所定の長さを有するレール２８上に装着する場合には、端子板同士を固定するために他の手段が設けられている。これらの手段は、上に引込チャネル２６を設けた側面３の高さを数ミリメートル突出した蟻型ほぞ３９（図３）の形状をしている。これらのほぞ３９は、平板２７を備えた側面２を有する側部から端子板の高さ全体に亙って走る溝状のほぞ孔４１と噛合する。これにより端子板同士を接合し、レール２８上に最大数の端子板を配置し、一直線に並列した端子板の平板２７を備えた引込みチャネル２６を効率的に仕切り、端子板の良好な相互機械的結合力を提供することができる。
【００３２】
接続の選別を向上させるために、端子板の本体の絶縁側板４３にもたれる金属つまみ４２（図６）の形状でドレインコレクタが設けられている。これによりドレイン線を集めて支持フレーム２８を介してアース接続することができる。
【００３３】
上部圧接端子９へ挿入するために、ジャンパ（図８）のプラグ４４も設けることによって電話、コンピュータあるいは他の配線盤内での交差接続を可能にしている。
【００３４】
端子板の中で様々な端子板を認識可能にするために、ラベルホルダ４６が上縦側部７上に設けられている。端子板をすべて互いに近接して横に並列する場合、このラベルホルダ４６を端子板毎に個別ラベル上にスライドさせるか、または単一の長いラベル上をスライドさせて用いる。
【００３５】
本発明は、記載および図示した実施形態に限定されない。一連の特許請求の範囲により規定される内容から逸脱することなく、数多くの変更例が可能である。
【図面の簡単な説明】
【００３６】
【図１】相互接続端子板の側面図を示す。
【図２】相互接続端子板の他の側面図を示す。
【図３】相互接続端子板の長手方向の平面図を示す。
【図４】相互接続端子板の横断面図を示す。
【図５】ケーブルを備えた支持フレーム上に装着された相互接続端子板の他の側面図を示す。
【図６】相互接続端子板の一部分の断面の一部を切り取った部分側面図を示す。
【図７Ａ】図２のＶＩＩ−ＶＩＩ線における相互接続端子板の断面を示す。
【図７Ｂ】挿入される試験プラグとともに図７Ａの断面を示す。
【図７Ｃ】完全に挿入された試験プラグとともに図７Ａおよび７Ｂの断面を示す。
【図８】相互接続端子板を備えた支持フレームを形成するレールの一部を切り取った各種横断面図を示す。
【国際公開パンフレット】
2004523080.tif 000003
2004523080.tif 000004
2004523080.tif 000005
2004523080.tif 000006
2004523080.tif 000007
2004523080.tif 000008
2004523080.tif 000009
2004523080.tif 000010
2004523080.tif 000011
2004523080.tif 000012
2004523080.tif 000013
2004523080.tif 000014
2004523080.tif 000015
2004523080.tif 000016
2004523080.tif 000017
2004523080.tif 000018
【国際調査報告】
2004523080.tif 000019
2004523080.tif 000020